(57)【要約】【課題】偽造防止機能を向上させ、かつ、真贋判別を容易に効率よく実施できる偽造防止媒体を提供する。【解決手段】偽造防止ラベル１０は、基材１１と、基材１１の表面に設けられ、光の選択反射特性を有する光選択反射層１２と、基材１１の裏面に設けられ、干渉縞を厚さ方向に記録している体積型ホログラム層１３と、体積型ホログラム層１３の基材１１とは反対側の面に設けられた着色層１４と、着色層１４の体積型ホログラム層１３とは反対側の面に設けられ、強磁性材料によって形成される強磁性材層１５とを備える。【選択図】図２
2009003182.tif 000002
【特許請求の範囲】
【請求項１】
基材と、
前記基材の少なくとも一方の面に設けられ、光の選択反射特性を有する光選択反射層と、
前記基材の片面側に設けられ、干渉縞を厚さ方向に記録している体積型ホログラム層と、
前記体積型ホログラム層の前記基材とは反対側の面に設けられた着色層と、
前記着色層の前記体積型ホログラム層とは反対側の面に設けられ、強磁性材料によって形成される強磁性材層と、
を備える偽造防止媒体。
【請求項２】
請求項１に記載の偽造防止媒体において、
前記光選択反射層は、パターン状に形成されていること、
を特徴とする偽造防止媒体。
【請求項３】
請求項１又は請求項２に記載の偽造防止媒体において、
前記光選択反射層は、光の選択反射特性が円偏光性であること、
を特徴とする偽造防止媒体。
【請求項４】
請求項３に記載の偽造防止媒体において、
前記光選択反射層は、コレステリック液晶によって形成されること、
を特徴とする偽造防止媒体。
【請求項５】
請求項１から請求項４までのいずれか１項に記載の偽造防止媒体において、
前記強磁性材層は、特定の磁化特性を有したアモルファス強磁性材料によって形成されること、
を特徴とする偽造防止媒体。
【請求項６】
請求項１から請求項５までのいずれか１項に記載の偽造防止媒体において、
前記強磁性材層は、パターン状に形成されていること、
を特徴とする偽造防止媒体。
【請求項７】
請求項１から請求項６までのいずれか１項に記載の偽造防止媒体において、
前記着色層は、暗色材料によって形成されること、
を特徴とする偽造防止媒体。
【請求項８】
請求項１から請求項７までのいずれか１項に記載の偽造防止媒体において、
前記強磁性材層の前記着色層とは反対側の面に接着層を備えること、
を特徴とする偽造防止媒体。
【発明の詳細な説明】
【技術分野】
【０００１】
本発明は、光選択反射層、体積型ホログラム層及び強磁性体層を備えた偽造防止媒体に関するものである。
【背景技術】
【０００２】
商品券、ギフト券などの金券は、その価値から偽造防止機能が必要とされており、基材（金券）上にさまざまな対策が施されている（例えば、特許文献１参照）。
特許文献１は、真贋判定を容易に行なえるように、表面にホログラム層を設けた金券を開示している。このような金券は、ホログラム層として主に、表面に微細な凹凸が設けられることにより干渉縞が記録されるレリーフ型ホログラムが用いられているが、昨今のホログラム技術の普及や偽造技術の高度化に伴い、レリーフ型ホログラムそのものが偽造されてしまい、本来の偽造判定、偽造防止としての機能が有効に果たせなくなる場合があった。
【特許文献１】特開平０７−２８５２８６号公報
【発明の開示】
【発明が解決しようとする課題】
【０００３】
本発明の課題は、偽造防止機能を向上させ、かつ、真贋判別を容易に効率よく実施できる偽造防止媒体を提供することである。
【課題を解決するための手段】
【０００４】
本発明は、以下のような解決手段により、前記課題を解決する。なお、理解を容易にするために、本発明の実施形態に対応する符号を括弧内に付して説明するが、これに限定されるものではない。
請求項１の発明は、基材（１１）と、前記基材（１１）の少なくとも一方の面に設けられ、光の選択反射特性を有する光選択反射層（１２）と、前記基材（１１）の片面側に設けられ、干渉縞を厚さ方向に記録している体積型ホログラム層（１３）と、前記体積型ホログラム層（１３）の前記基材（１１）とは反対側の面に設けられた着色層（１４）と、前記着色層（１４）の前記体積型ホログラム層（１３）とは反対側の面に設けられ、強磁性材料によって形成される強磁性材層（１５）と、を備える偽造防止媒体（１０）である。
請求項２の発明は、請求項１に記載の偽造防止媒体（１０）において、前記光選択反射層（１２）は、パターン状に形成されていること、を特徴とする偽造防止媒体（１０）である。
請求項３の発明は、請求項１又は請求項２に記載の偽造防止媒体（１０）において、前記光選択反射層（１２）は、光の選択反射特性が円偏光性であること、を特徴とする偽造防止媒体（１０）である。
請求項４の発明は、請求項３に記載の偽造防止媒体（１０）において、前記光選択反射層（１２）は、コレステリック液晶によって形成されること、を特徴とする偽造防止媒体（１０）である。
請求項５の発明は、請求項１から請求項４までのいずれか１項に記載の偽造防止媒体（１０）において、前記強磁性材層（１５）は、特定の磁化特性を有したアモルファス強磁性材料によって形成されること、を特徴とする偽造防止媒体（１０）である。
請求項６の発明は、請求項１から請求項５までのいずれか１項に記載の偽造防止媒体（１０）において、前記強磁性材層（１５）は、パターン状（１５ａ）に形成されていること、を特徴とする偽造防止媒体（１０）である。
請求項７の発明は、請求項１から請求項６までのいずれか１項に記載の偽造防止媒体（１０）において、前記着色層（１４）は、暗色材料によって形成されること、を特徴とする偽造防止媒体（１０）である。
請求項８の発明は、請求項１から請求項７までのいずれか１項に記載の偽造防止媒体（１０）において、前記強磁性材層（１５）の前記着色層（１４）とは反対側の面に接着層（１７）を備えること、を特徴とする偽造防止媒体（１０）である。
【発明の効果】
【０００５】
本発明によれば、以下のような効果がある。
（１）偽造防止媒体は、基材の少なくとも一方の面に光選択反射層が設けられ、また、基材の片面側に体積型ホログラム層、着色層、強磁性材層が順に設けられているので、体積型ホログラム層及び光選択反射層の視認による確認と、強磁性材層の磁気の情報による確認とによって、偽造防止媒体の真贋判別を実行することができる。また、着色層によって、強磁性材層を偽造防止媒体の外観から視認されるのを防止し、強磁性材層の存在を隠蔽することができる。
【０００６】
（２）光選択反射層は、パターン状に形成されているので、パターンに基づいて光を選択反射させることができる。
（３）光選択反射層の光の選択反射特性は、円偏光性であるので、簡易な構成で真贋判別をすることができる。
（４）光選択反射層は、コレステリック液晶により形成されているので、円偏光性を備えた層を容易に形成することができる。
【０００７】
（５）強磁性材層は、アモルファス強磁性材料によって形成されているので、一般の磁性材料が示す磁気特性とは異なるアモルファス強磁性材料固有の磁気特性（大バルクハウゼン効果）を利用することによって、偽造防止媒体の真贋判別を容易にするとともに強磁性材層の偽造を困難にすることができる。
【０００８】
（６）強磁性材層は、パターン状に形成されているので、そのパターンに基づいた磁気情報を記録することができ、偽造防止媒体の偽造を困難にすることができる。
（７）着色層は、暗色材料によって形成されているので、体積型ホログラム層の着色層との接触面を暗色にすることができ、体積型ホログラム層のホログラム像を鮮明にすることができる。
（８）偽造防止媒体は、強磁性材層の着色層とは反対側の面に接着層を備えているので、偽造防止媒体をラベルとして使用することができ、商品などに貼付することによって、商品の偽造品の判別をすることができる。
【発明を実施するための最良の形態】
【０００９】
本発明は、偽造防止機能を向上させ、かつ、真贋判別を容易に効率よく実施できる偽造防止媒体を提供するという目的を、基材の少なくとも一方の面に光選択反射層を設け、体積型ホログラム層、着色層、強磁性材層を基材の片面に順に設けることにより実現する。
【００１０】
（第１実施形態）
以下、図面等を参照して、本発明の実施形態をあげて、さらに詳しく説明する。
図１は、薬品の包装箱に貼付された偽造防止ラベルを示す模式図である。図２は、本発明による偽造防止媒体の第１実施形態である偽造防止ラベルの模式図であり、図２（ａ）に平面図を示し、図２（ｂ）に図２（ａ）のＡ−Ａ断面の断面図を示す。ここで、説明を明確にするために、図２（ｂ）の上方を偽造防止ラベルの表面とし、下方を裏面とする。
薬品１は、図１に示すように、薬の小売店などの店先に陳列される薬であり、不図示の薬を内包した包装箱２と、その表面に偽造防止ラベル１０とを備えている。
包装箱２は、直方体状の箱であり、表面に薬の効能や製薬メーカ名などが印刷されている。
【００１１】
偽造防止ラベル１０は、薬品１の偽造防止及び真贋判定を行うために包装箱２の表面に貼付される矩形状に形成されたラベルである。偽造防止ラベル１０は、図２（ａ）及び図２（ｂ）に示すように、基材１１の表面に光選択反射層１２及び保護層１６を順に積層し、また、基材１１の裏面に体積型ホログラム層１３、着色層１４、強磁性材層１５及び接着層１７を順に積層しており、接着層１７によって薬品１の包装箱２の表面に貼付される。ここで、接着層１７は、偽造防止ラベル１０が包装箱２に貼付される前は、不図示の剥離紙によってその接着面が保護されている。
【００１２】
基材１１は、偽造防止ラベル１０の基礎となる厚さ５０μｍの透明又は略透明な樹脂製（例えば、ＰＥＴ：ＰｏｌｙＥｔｈｙｌｅｎｅ  Ｔｅｒｅｐｈｔｈａｌａｔｅ）のシートである。
光選択反射層１２は、見る角度によって色彩が可変する円偏光性を有したコレステリック液晶を、基材１１の表面に印刷した厚さ３μｍの略透明な層であり、本実施形態では、左円偏光性の「ＳＥＣＵＲＩＴＹ」という文字列１２ａが記録されている。コレステリック液晶の印刷は、他に、重合成コレステリック液晶溶液を用いてグラビア印刷して紫外線を照射する手法など、基材１１の種類や用途に応じて種々の方法を用いることができる。
【００１３】
体積型ホログラム層１３は、少なくとも一種の光重合性化合物と光重合開始剤などとを有した樹脂組成物から形成される厚さ１０μｍの略透明な層であり、別名リップマンホログラムとも呼ばれている。体積型ホログラム層１３は、波長の等しい物体光と参照光とを干渉させて物体光の波面を干渉縞として樹脂組成物に記録しており、参照光と同一条件の光が当てられると干渉縞で回折現象を生じ、物体光と同じ波面が再生される。例えば、特定の図柄などを干渉縞として樹脂組成物に記録している場合、参照光と同一条件の光が当てられたときに、その特定の図柄を偽造防止ラベル１０の表面から視認することができる。
【００１４】
また、体積型ホログラム層１３は、レリーフ型のホログラムと異なり、光の干渉によって画像を生じさせる干渉縞を、屈折率の異なる縞として層の厚さ方向に三次元的に記録している。体積型ホログラム層１３は、リアルな立体的な画像表現や、赤、青、緑の三原色とそれらの重ね合わせの発色によりフルカラーの画像表現などが可能となり、レリーフ型ホログラムとは視覚効果が異なり真贋判別を容易にする。本実施形態では、図２（ａ）に示すように、物体光として立体的な星形の画像１３ａ（ホログラム像）を記録している。このように、体積型ホログラム層１３は、複雑な立体形状などを表現することができるように設けられた干渉縞の特性が把握されにくいので、レリーフ型のホログラムよりも偽造が困難になる。
ここで、体積型ホログラム層１３に使用される光重合性化合物は、例えば、光ラジカル重合性化合物や光カチオン重合性化合物などであり、光重合開始剤は、例えば、光ラジカル重合開始剤や光カチオン重合開始剤などが使用される。また、本願の体積型ホログラム層は、ホログラフィ法で求めたホログラム以外の体積型の光回折構造も含むものとする。
【００１５】
着色層１４は、体積型ホログラム層１３の裏面を特定の色インキで印刷した厚さ２μｍの印刷層である。本実施形態では、着色層１４は、黒インキが使用されており、体積型ホログラム層１３の裏面を黒色にすることができ、偽造防止ラベル１０の表面から視認できる体積型ホログラム層１３の星形の画像１３ａを鮮明にすることができる。
【００１６】
ここで、体積型ホログラム層１３の星型の画像１３ａは、体積型ホログラム層１３の裏面に着色層１４が設けられても、図２（ａ）に示すように、視認することができるが、仮に、従来技術で使用されていたレリーフ型ホログラム層の裏面に着色層１４を同様に設けた場合、レリーフ型ホログラム層と着色層１４とが重なった部位では星型の画像１３ａは視認できなくなる。これは、レリーフ型ホログラム層と着色層１４の色インキとの屈折率が近似しているため、レリーフ型ホログラム層に設けられた微細な凹凸に着色層１４の印刷インキが入り込むことで、凹凸による光の反射がなくなってしまうからである。
【００１７】
強磁性材層１５は、コバルト（Ｃｏ）、鉄（Ｆｅ）、ニッケル（Ｎｉ）を主材料としたアモルファス強磁性材料から形成される厚さ１００ｎｍの薄膜層であり、蒸着、スパッタ、イオンプレーティング法などの真空成膜法によって着色層１４の裏面にパターン状に形成されている。本実施形態では、強磁性材層１５は、図２（ａ）に示すように、パターンとして６本の帯からなる縞模様１５ａが形成されている。ここで、強磁性材層１５は、図２（ｂ）に示すように、着色層１４の裏面にあるので、強磁性材層１５の縞模様１５ａが偽造防止ラベル１０の表面から視認されるのを防止することができ、偽造防止ラベル１０の外部から強磁性材層１５の存在と、強磁性材層１５が縞模様１５ａであることを隠蔽することができる。
【００１８】
図３は、アモルファス強磁性材料及び一般の磁性材料のＢ−Ｈ磁化特性曲線を示す図である。
強磁性材層１５のアモルファス強磁性材料は、加熱、切断などにより、透磁率や飽和磁化特性が変化する性質を有した磁性材料である。アモルファス強磁性材料は、図３（ａ）に示すように、矩形に近いヒステリシス曲線の磁気特性を有し、低強度の振動磁界によって急峻に磁化反転を繰り返す性質（大バルクハウゼン現象）を備えている。これに対し、鉄などの一般の磁性材料は、図３（ｂ）に示すように、略Ｓ字型のヒステリシス曲線の磁気特性を備えている。
【００１９】
強磁性材層１５は、アモルファス強磁性材料の上述の特異な性質を用いて真贋判定に用いる情報などを記録し、記録した情報を読み出すことによって精巧な偽造品に対する判別を容易にしている。また、強磁性材層１５は、アモルファス強磁性材料に配合する材料を変化させることによって、その磁気特性を自在に変更することができ、さらに、その材料に一般市場における入手が困難な材料を用いることによって、強磁性材層１５の形成自体を困難にすることができ、偽造防止の効果を高めることができる。
保護層１６は、図２（ｂ）に示すように、偽造防止ラベル１０の表面に位置し、光選択反射層１２を保護する透明な層である。
接着層１７は、強磁性材層１５の裏面に設けられた接着剤であり、偽造防止ラベル１０を薬品１の包装箱２に剥離不可能に貼付している。
【００２０】
図４は、光選択反射層の真贋判定に使用する真贋判別具を示す図であり、図４（ａ）に、真贋判別具の概略図を示し、図４（ｂ）及び（ｃ）に、真贋判別具の使用方法を説明する図を示す。
真贋判別具２０は、光選択反射層１２の円偏光性を有した文字列１２ａによって偽造防止ラベル１０の真贋判別を行う道具であり、図４（ａ）に示すように、判別基材２１、右円偏光フィルム２２ａ及び左円偏光フィルム２２ｂを備えている。
判別基材２１は、真贋判別具２０を形成する矩形状の樹脂製の板部材であり、その板部材の短辺の中心線より右側に右円偏光フィルム２２ａを、左側に左円偏光フィルム２２ｂを備えている。
【００２１】
右円偏光フィルム２２ａは、右円偏光は透過するが、左円偏光は透過しないという右円偏光性の特性を持つようにコレステリック液晶配向を固定化した高分子フィルムである。この高分子フィルムは、例えば、特定の低分子液晶をコレステリック配向させて、光又は熱反応させることにより配向状態を固定化したり、サーモトロピック高分子液晶を液晶状態でコレステリック配向させ、液晶の転移点以下の温度で冷却することにより、配向状態を固定化したりして作製することができる。
左円偏光フィルム２２ｂは、左円偏光は透過するが、右円偏光は透過しないという左円偏光性の特性を持つようにコレステリック液晶配向を固定化した高分子フィルムであり、右円偏光フィルム２２ａと同様の製法によって作製されている。
【００２２】
次に、薬品１の包装箱２に貼付された偽造防止ラベル１０によって、薬品１の真贋を判別する方法について説明する。
薬品１を扱う薬の小売店などの店員は、体積型ホログラム層１３に記録された真正のホログラム像として星形の画像１３ａと、光選択反射層１２に記録された文字列１２ａの円偏光性の特性（左円偏光性）とが予め知らされており、仕入れ業者から薬品１を入荷したときに、薬品１の包装箱２に貼付された偽造防止ラベル１０の星形の画像１３ａと文字列１２ａとを確認し、薬品１の真贋判別を実施する。
【００２３】
具体的には、薬品１を入荷したとき、店員は、包装箱２に貼付された偽造防止ラベル１０の星形の画像１３ａが適正であるか否かを確認する。薬品１を適正なものであると確認した場合、店員は、偽造防止ラベル１０の光選択反射層１２に記録された文字列１２ａを、真贋判別具２０を用いて確認する。このとき、薬品１が真正なものである場合、図４（ｂ）に示すように、左円偏光性で記録された文字列１２ａの像は、真贋判別具２０の右円偏光フィルム２２ａでは透過せずに視認できないが、左円偏光フィルム２２ｂでは透過して視認できる。そのため、店員は、確認した文字列１２ａが左円偏光性で記録されていることを確認できる。光選択反射層１２の真贋判別具２０による真贋判別は、文字列１２ａが右円偏光フィルム２２ａに透過するか否かで薬品１の真贋を判別できるので、体積型ホログラム層１３の星型の画像１３ａによる確認よりも正確に行うことできる。
【００２４】
仮に、薬品が偽造品である場合、「ＳＥＣＵＲＩＴＹ」の文字列は円偏向性を有していないので、図４（ｃ）に示すように、真贋判別具２０の右円偏光フィルム２２ａ及び左円偏光フィルム２２ｂのいずれにも文字列の像が透過し、視認されてしまい、薬品が偽造品であることが即座に判明する。
また、体積型ホログラム層１３と光選択反射層１２とが精巧に偽造されていたとしても、縞模様１５ａが形成された強磁性材層１５の固有の磁気特性を後述の磁気ヘッドで検出することにより、確実に偽造品を発見することができる。
【００２５】
次に、本実施形態の偽造防止ラベル１０の強磁性材層１５を検出する磁気ヘッド１００について説明する。図５は、強磁性材層の磁気特性を読み取る磁気ヘッドの概略図である。
磁気ヘッド１００は、図５に示すように、検出コイル部１０１、励磁コイル部１０２、制御部１０３及び表示部１０４を備えており、偽造防止媒体１０の強磁性材層１５の磁気情報を非接触で読み取る検出器である。
検出コイル部１０１は、強磁性材層１５から発生する磁束の変化を検出するソレノイドコイル１０１−Ａと、その検出データを増幅して出力する増幅器１０１−Ｂとを備えている。
励磁コイル部１０２は、強磁性材層１５に交番励磁磁界を印加するソレノイドコイル１０２−Ａと、ソレノイドコイル１０２−Ａに交番励磁磁界を発生させる交番励磁電流を流すアンプ１０２−Ｂとを備えている。
【００２６】
制御部１０３は、励磁コイル部１０２のソレノイドコイル１０２−Ａに所定の交番励磁電流を流すための指令信号をアンプ１０２−Ｂに出力し、強磁性材層１５から発生する磁束の変化を検出した検出コイル部１０１のソレノイドコイル１０１−Ａの検出結果を増幅器１０１−Ｂを介して入力する磁気ヘッド１００の各部を統括制御する制御回路である。
表示部１０４は、検出コイル部１０１により検出した結果が、制御部１０３の指示により表示される液晶ディスプレイである。
【００２７】
次に、本実施形態の磁気ヘッド１００による偽造防止ラベル１０の強磁性材層１５の検出方法について説明する。
磁気ヘッド１００の制御部１０３は、電源が投入されると、励磁コイル部１０２のソレノイドコイル１０２−Ａにアンプ１０２−Ｂを介して高調波の交番励磁電流を流し、ソレノイドコイル１０２−Ａに保磁力Ｈｃ以上の交番励磁磁界を発生させる。続いて、包装箱２の表面に貼付された偽造防止ラベル１０の強磁性材層１５に磁気ヘッド１００を近づけると、保磁力Ｈｃ以上の交番励磁磁界により大バルクハウゼン現象を起こし、制御部１０３は、強磁性材層１５から発生する磁束の変化を、検出コイル部１０１のソレノイドコイル１０１−Ａに検出させる。このとき、磁気ヘッド１００を偽造防止ラベル１０の全域に移動（矢印Ｂ）させることによって、強磁性材層１５のパターンに合わせた磁気特性を検出することができる。制御部１０３は、検出した結果を増幅器１０１−Ｂを介して入力し、表示部１０４に表示する。
【００２８】
磁気ヘッド１００で検出されたデータは、特定の材料を配合させたアモルファス強磁性材料が有する固有の特性がパターン状に表示部１０４に表示されるので、仮に薬品１の偽造品の偽造防止ラベルが強磁性材層を有していたとしても、検出した磁気特性のデータまでは同一にすることができず、精巧な偽造品を判別することができる。
【００２９】
以上より、本実施形態の偽造防止ラベル１０には以下のような効果がある。
（１）偽造防止ラベル１０は、基材の表面に光選択反射層１２が設けられ、また、基材の裏面に体積型ホログラム層１３、着色層１４、強磁性材層１５が順に設けられているので、体積型ホログラム層１３及び光選択反射層１２の視認による確認と、強磁性材層１５の磁気の情報による確認とによって、偽造防止ラベル１０の真贋判別を実行することができる。また、着色層１４によって、強磁性材層１５を偽造防止ラベル１０の外観から視認されるのを防止し、強磁性材層１５の存在を隠蔽することができる。
【００３０】
（２）光選択反射層１２は、光の選択反射特性が円偏光性であるので、簡易な構成で真贋判別をすることができる。
（３）光選択反射層１２は、コレステリック液晶により形成されているので、円偏光性を備えた層を容易に形成することができる。
（４）強磁性材層１５は、アモルファス強磁性材料によって形成されているので、一般の磁性材料が示す磁気特性とは異なるアモルファス強磁性材料固有の磁気特性（大バルクハウゼン効果）を利用することによって、偽造防止ラベル１０の真贋判別を容易にするとともに強磁性材層１５の偽造を困難にすることができる。
【００３１】
（５）強磁性材層１５は、着色層１４の裏面にパターン状に形成されているので、パターンに基づいた磁気情報を記録することができ、偽造防止ラベル１０の偽造を困難にすることができる。
（６）着色層１４は、黒色インキによって形成されているので、体積型ホログラム層１３の着色層１４との接触面を暗色にすることができ、体積型ホログラム層１３の星型の画像１３ａを鮮明にすることができる。
（７）偽造防止ラベル１０は、強磁性材層１５の着色層１４とは反対側の面に接着層１７を備えているので、薬品１の包装箱２に貼付することによって、薬品１の偽造品を容易に判別することができる。
【００３２】
（第２実施形態）
図６は、本発明による偽造防止媒体の第２実施形態である偽造防止ラベルを示す模式図であり、図６（ａ）に平面図を、図６（ｂ）に図６（ａ）のＢ−Ｂ断面図を示す。ここで、以下の実施形態の説明では、前述した第１実施形態と同様な機能を果たす部分には、同一の符号又は末尾に統一した符号を付して、重複する説明や図面を適宜省略する。
【００３３】
本実施形態の偽造防止ラベル１０−２と第１実施形態の偽造防止ラベル１０との相違点は、図６に示すように、本実施形態の光選択反射層１２−２がパターン状に形成されている点である。
光選択反射層１２−２は、見る角度によって色彩が可変する円偏光性を有したコレステリック液晶を、パターン印刷により基材１１の表面に印刷した略透明な層であり、本実施形態では、パターンとして、文字列１２ａ−２のみを基材１１の表面に形成している。
【００３４】
以上より、光選択反射層１２−２は、パターン状に形成されているので、そのパターンに基づいて光を選択反射させることができ、また、基材１１上の必要な箇所にのみ光選択反射層１２−２を設ければよく、光選択反射層１２−２の材料費を低減することができる。
【００３５】
（変形形態）
以上説明した実施形態に限定されることなく、種々の変形や変更が可能であって、それらも本発明の範囲内である。
（１）各実施形態では、基材１１の表面に光選択反射層１２を設けたが、基材１１の裏面又は両面に設けてもよい。
（２）各実施形態では、着色層１４を黒色に形成する例で説明したが、黒色以外の暗色（例えば、紺色、濃緑色など）で形成してもよい。このようにすれば、黒色と略同等に星形の画像１３ａを鮮明にすることができる。
【００３６】
（３）各実施形態の強磁性材層１５は、着色層１４の裏面に縞模様１５ａをパターンとして形成したが、模様だけでなく、文字列や、模様と文字列の組み合わせで形成してもよい。また、着色層１４の裏面の全面に形成してもよい。
なお、各実施形態及び変形形態は、適宜組み合わせて用いることもできるが、詳細な説明は省略する。また、本発明は、以上説明した各実施形態によって限定されることはない。
【図面の簡単な説明】
【００３７】
【図１】本発明による偽造防止媒体の第１実施形態である偽造防止ラベルを薬品の包装箱に貼付した状態を示す模式図である。
【図２】第１実施形態の偽造防止ラベルの模式図である。
【図３】アモルファス強磁性材料及び一般の磁性材料のＢ−Ｈ磁化特性曲線を示す図である。
【図４】光選択反射層の真贋判定に使用する真贋判別具を示す図である。
【図５】強磁性材層の磁気特性を読み取る磁気ヘッドの概略図である。
【図６】本発明による偽造防止媒体の第２実施形態である偽造防止ラベルの模式図である。
【符号の説明】
【００３８】
１  薬品
２  包装箱
１０、１０−２  偽造防止ラベル
１１  基材
１２、１２−２  光選択反射層
１３  体積型ホログラム層
１４  着色層
１５  強磁性材層
１６  保護層
１７  接着層
【図１】
2009003182.tif 000003
【図２】
2009003182.tif 000004
【図３】
2009003182.tif 000005
【図４】
2009003182.tif 000006
【図５】
2009003182.tif 000007
【図６】
2009003182.tif 000008